(57)【特許請求の範囲】
【請求項１】
時計の装備方向に通ずるストレート形状の貫通穴を駒本体の厚み内に設けた略方形のバンド駒と、バンド駒の貫通穴と連通する開口を棒状本体の軸線内に設け、棒状本体の側端面から軸線内の開口と連通する軸受け孔を軸両側に設け、時計の装備側に向けて棒状本体の軸両端寄りから突起を設けたスペーサと、板状本体の前後辺を軸継ぎ手として形成した連鎖片と、連結ピンとを所定数複数個組み合わせてなり、
各突起を貫通穴の穴両端内に嵌め合わせてスペーサを時計の装備側前側に位置するバンド駒と一体に組み立てると共に、相前後するバンド駒の間にスペーサで隙間を保ってバンド駒とスペーサとを交互に組み合わせ、連鎖片を相前後する軸継ぎ手で互いに組み合わせて軸継ぎ手をスペーサの開口内に位置し、板状本体をバンド駒の貫通穴内に位置させて連鎖片とバンド駒並びにスペーサとを組み合わせると共に、連結ピンを各スペーサの軸受け孔と当該スペーサの開口内に位置する連鎖片の軸継ぎ手とに挿置し、これら組み合わされた各部からバンド本体を鎖状に組み立てたことを特徴とする腕時計用バンド。
【請求項２】
相前後でアーチ状を呈する切欠部を駒本体の前後部に設けたバンド駒と、バンド本体の外面寄りに位置する上部側を円弧状に形成したスペーサとを備え、相前後するバンド駒の間にスペーサで隙間を保って該スペーサをバンド駒のアーチ内に組み付けたことを特徴とする請求項１に記載の腕時計用バンド。
【請求項３】
棒状本体の前後幅をバンド本体の外面寄りに位置する上部側よりも内面寄りに位置する下部側に向けて狭幅にする傾斜面を棒状本体の後部側に設け、開口の底面を時計の装備側より後方に向けて下り勾配の傾斜面で形成したスペーサを備え、そのスペーサの傾斜面を規制面として連結ピンを中心に、バンド本体を時計の装備側より後側に位置する連鎖片の軸継ぎ手でループ状に撓み可能に組み付けたことを特徴とする請求項１または２に記載の腕時計用バンド。
【請求項４】
超硬合金，セラミックス等の超硬質材料で形成したバンド駒と、ジュラコン，ＡＢＳ，ポリウレタン等の樹脂材料で形成したスペーサと、ステンレス等の金属材料で形成した連鎖片とを組み合わせたことを特徴とする請求項１〜４のいずれかに記載の腕時計用バンド。
【請求項５】
時計の装備方向に通ずるストレート形状の貫通穴を駒本体の厚み内に設けた略方形のバンド駒と、バンド駒の貫通穴と連通する開口を棒状本体の軸線内に設け、棒状本体の側端面から軸線内の開口と連通する軸受け孔を軸両側に設け、時計の装備側に向けて棒状本体の軸両端寄りから突起を設けたスペーサと、板状本体の前後辺を軸継ぎ手として形成した連鎖片と、連結ピンとを所定数複数個備え、
連鎖片を相前後する軸継ぎ手に挿通する仮止めピンで所定数複数個予め一連に連続し、各突起を貫通穴の穴両端内に嵌め合わせてスペーサを時計の装備側前側に位置するバンド駒と一体に組み立て、前記一連の連鎖片をバンド駒の貫通穴並びにスペーサの開口内に挿通させて各軸継ぎ手をスペーサの開口内に位置し、且つ、各板状本体をバンド駒の貫通穴内に位置させてバンド駒並びにスペーサを該連鎖片に交互に組み付け、この各部の組み合わせ後に連結ピンをスペーサの片側端に設けた軸受け孔より連鎖片の軸継ぎ手に差し込むと共に、連鎖片の仮止めピンを該連結ピンによる押圧でスペーサの他側端に設けた軸受け孔から押し出させて、連結ピンを各スペーサの軸受け孔と当該スペーサの開口内に位置する連鎖片の軸継ぎ手とに挿置し、これら組み合わされた各部からバンド本体を鎖状に組み立てるようにしたことを特徴とする腕時計用バンドの組立方法。
【発明の詳細な説明】
【０００１】
【発明の属する技術分野】
本発明は、主に、超硬合金，セラミックス等の超硬質材料で形成したバンド駒を所定数複数個組み立てて構成するのに好適な腕時計用バンド及びその組立方法に関するものである。
【０００２】
【従来の技術】
一般に、超硬合金，セラミックス等の超硬質材料は傷付き難らく、ダイヤモンドホイールによる研削及び研磨等を適用することにより鏡面加工ができ、高級感のある金属光沢を出せるところから、一部の高級な腕時計用のケース枠及びバンドの駒素材として用いられている。
【０００３】
然し、超硬合金材料は一般的なステンレス材等とは違い、成形加工においては切削加工が難しく、特に、細孔加工においては特殊な放電加工技術が必要である。また、材質強度においても超硬合金は割れ易いので、落下衝撃によりケース枠及びバンド駒が破損するおそれがある。このため、幾つかの硬質材料を用いた腕時計用バンドとしての構造が考えられている。
【０００４】
その腕時計用バンドとしては、超硬合金材料からバンド駒をブロック状に形成し、ステンレス等の金属材料から形成した軸受けパイプを駒本体の前後（以下、各構成部品の形状や部所を特定するべく、時計の装備側を基準に、その時計の装備寄りを「前」として説明する。）にロー付けし、相前後するバンド駒の軸受けパイプを互いに組み合せて連結ピンを軸受けパイプに挿通することにより所定数複数個のバンド駒をヒンジ接合させてバンド本体を鎖状に組み立てることが知られている（実開昭５７−１６４６１５号）。
【０００５】
その腕時計用バンドは構造的には簡単であるが、軸受けパイプを超硬合金の駒本体にロー付けすること自体技術的に難く、また、熱膨張係数の異なる金属部材相互をロー付けすることから内部応力が各部材に発生し、バンド駒側のロー付け部分の割れによる軸受けパイプの脱落等を招く原因となる。
【０００６】
上述したものの他、図１９で示すようにセラミック材料で形成したバンド駒１００を連鎖具１１０で連結することによりバンド本体を鎖状に組み立てることも知られている（実開平５−５５９１０号）。
【０００７】
その腕時計用バンドの連鎖具１１０は図２０で示すように左右二つに分割された具本体１１１，１１２を有し、この具本体１１１，１１２には具本体１１１，１１２の間に位置する軸受けパイプ１１３と、具本体１１１，１１２の各側端寄りに位置する軸受けパイプ１１４，１１５とを前後いずれか片側に備え、その各軸受けパイプ１１３，１１４，１１５の間に嵌り合う軸受けパイプ１１６，１１７を具本体１１１，１１２の他側で各中央に備えることにより組み立てられている。
【０００８】
また、上述した腕時計用バンドのバンド駒１００は図２１で示すように連鎖具１１０の具本体１１１，１１２を個別に挿通する貫通穴１０２，１０３を仕切部１０４で左右に区画させて設け、その貫通穴１０２，１０３の片側開放口寄りには各貫通穴１０２，１０３の両側壁並びに仕切部１０４で奥詰りとなる刳抜き部１０５を設けることにより形成されている。
【０００９】
その各部１００，１１０を用いては、まず、相前後する連鎖具１１０の軸受けパイプ１１３〜１１７を互いに嵌め合わせて連結ピン１１８を挿通することにより二つの連鎖具１１０を予めヒンジ連結する。この連鎖具には、図２２で示すように軸受けパイプ１１６，１１７が中央に装備された側が貫通穴１０２，１０３から外側に出て、且つ、ヒンジ連結された軸受けパイプ１１４（符号１１４のみ図示）が奥詰りの刳抜き部１０５の内部に係合位置するまでバンド駒１００を一つ組み付ける。更に、次の連鎖具を外側に出た軸受けパイプ１１６，１１７とヒンジ連結すると共に、次のバンド駒を組み付け、これを所定数複数回順次に繰り返すことによりバンド本体を鎖状に段階的に組み立てるようにされている。
【００１０】
この腕時計用バンドと同様な構造を有するものとして、図２３で示すようにバンド駒１２０，連鎖具１３０並びにストッパ１４０からバンド本体を組み立てるものも知られている（特開平５−２５３００９号）。
【００１１】
その腕時計用バンドの連鎖具１３０は板状の具本体１３１を有し、この具本体１３１の前後には互いに嵌り合う軸受け部１３２，１３３、１３４，１３５を内側，外側に分けて夫々二つづつ設けることにより形成されている。また、ストッパ１４０は連鎖具１３０の外側に位置する軸受け部１３２，１３３よりも横長な板状本体１４１を有し、突起部１４２，１４３を板状本体１４１の前後いずれか両端より突出することにより形成されている。バンド駒１２０の本体は連鎖具１３０の外側に位置する軸受け部１３２，１３３を挿通可能な貫通穴１２１を設け、その貫通穴１２１の両側壁で奥詰りとなる刳抜き部１２２をストッパ１４０の嵌込み固定用として設けることにより形成されている。
【００１２】
その各部１２０〜１４０を用いては、まず、相前後する連鎖具１３０の軸受け部１３２，１３３、１３４，１３５を互いに嵌め合わせて連結ピン１３６を挿通することにより二つの連鎖具１３０をヒンジ連結する。この後、ストッパ１４０の板状本体１４１を具本体１３１の本体上に載置させてストッパ１４０を連鎖具１３０に組み付けることにより二つの連鎖具１３０をヒンジ連結する。
【００１３】
その連鎖具には、図２４，２５で示すように軸受け部１３２，１３３が装備された側が貫通穴１２１から外側に出て、且つ、ストッパ１４０の突起１４２，１４３（片側のみ図示）が奥詰りの刳抜き部１２２の内部に係合位置するまでバンド駒１２０を一つ組み付ける。更に、次の連鎖具を外側に出た軸受けパイプ１３２，１３３とヒンジ連結すると共に、次のバンド駒を組み付け、それを上述したものと同様に所定数複数回に繰り返すことによりバンド本体を組み立てるようにされている。
【００１４】
これらの各腕時計用バンドでは連鎖具１１０，１３０が挿通する貫通穴１０２，１０３、１２１に加えて、奥詰りとなる刳抜き部１０５，１２２を貫通穴１０２，１０３、１２１の内壁に設けなければならないから、バンド駒１００，１２０が構造的に複雑で形状出し加工が難しい。
【００１５】
そのバンド本体の組込み作業においては、上述したいずれのものも、二つの連鎖具をヒンジ連結した後に一つのバンド駒を該連鎖具に組み付け、更に、次の連鎖具をヒンジ連結してから、次のバンド駒を組み付ける如く各部品を個々に積み重ねて組み立てなければならないため、極めて手間の掛る作業が必要になる。
【００１６】
また、上述した三例のいずれのものでも、超硬質材料で形成されたバンド駒同士が装備時に互いに接するよう組み立てられることから、落下時等にバンド駒が互いに衝接することによる衝撃で割れ或いは欠けてしまうという不具合がある。
【００１７】
【発明が解決しようとする課題】
本発明は、構造的に簡単で加工の容易な部品から簡単に組み立てでき、バンド駒が互いに接しないよう組み立てることにより、超硬質材料によるバンド駒でも、割れや欠けが生ずるのを防げる腕時計用バンドを提供することを目的とする。
【００１８】
本発明は上述した課題に加えて、体裁上も良好なものに組立可能な腕時計用バンドを提供することを目的とする。
【００１９】
更に、本発明はバンド本体をループ状に撓ませ可能に簡単に組み立てできる腕時計用バンドを提供することを目的とする。
【００２０】
また、本発明はバンド本体を鎖状に容易に組立可能な腕時計用バンドの組立方法を提供することを目的とする。
【００２１】
【課題を解決するための手段】
本発明の請求項１に係る腕時計用バンドにおいては、時計の装備方向に通ずるストレート形状の貫通穴を駒本体の厚み内に設けた略方形のバンド駒と、そのバンド駒の貫通穴と連通する開口を棒状本体の軸線内に設け、棒状本体の側端面から軸線内の開口と連通する軸受け孔を軸両側に設け、時計の装備側に向けて棒状本体の軸両端寄りから突起を設けたスペーサと、板状本体の前後辺を軸継ぎ手として形成した連鎖片と、連結ピンとを所定数複数個組み合わせてなり、
各突起を貫通穴の穴両端内に嵌め合わせてスペーサを時計の装備側前側に位置するバンド駒と一体に組み立てると共に、相前後するバンド駒の間にスペーサで隙間を保ってバンド駒とスペーサとを交互に組み合わせ、連鎖片を相前後する軸継ぎ手で互いに組み合わせて軸継ぎ手をスペーサの開口内に位置し、且つ、板状本体をバンド駒の貫通穴内に位置させて連鎖片とバンド駒並びにスペーサとを組み合わせると共に、連結ピンを各スペーサの軸受け孔と当該スペーサの開口内に位置する連鎖片の軸継ぎ手とに挿置し、これら組み合わされた各部からバンド本体を鎖状に組み立てることにより構成されている。
【００２２】
本発明の請求項２に係る腕時計用バンドにおいては、相前後でアーチ状を呈する切欠部を駒本体の前後部に設けたバンド駒と、バンド本体の外面寄りに位置する上部側を円弧状に形成したスペーサとを備え、相前後するバンド駒の間にスペーサで隙間を保って該スペーサをバンド駒のアーチ内に組み付けることにより構成されている。
【００２３】
本発明の請求項３に係る腕時計用バンドにおいては、棒状本体の前後幅をバンド本体の外面寄りに位置する上部側よりも内面寄りに位置する下部側に向けて狭幅にする傾斜面を棒状本体の後部側に設け、且つ、開口の底面を時計の装備側後方に向けて下り勾配の傾斜面で形成したスペーサを備え、そのスペーサの傾斜面を規制面として連結ピンを中心に、バンド本体を時計の装備側より後側に位置する連鎖片の軸継ぎ手でループ状に撓み可能に組み付けることにより構成されている。
【００２４】
本発明の請求項４に係る腕時計用バンドにおいては、超硬合金，セラミックス等の超硬質材料で形成したバンド駒と、ジュラコン，ＡＢＳ，ポリウレタン等の樹脂材料で形成したスペーサと、ステンレス等の金属材料で形成した連鎖片とを組み合わせることにより構成されている。
【００２５】
本発明の請求項５に係る腕時計用バンドの組立方法においては、時計の装備方向に通ずるストレート形状の貫通穴を駒本体の厚み内に設けた略方形のバンド駒と、そのバンド駒の貫通穴と連通する開口を棒状本体の軸線内に設け、棒状本体の側端面から軸線内の開口と連通する軸受け孔を軸両側に設け、時計の装備側に向けて棒状本体の軸両端寄りから突起を設けたスペーサと、板状本体の前後辺を軸継ぎ手として形成した連鎖片と、連結ピンとを所定数複数個備え、
連鎖片を相前後する軸継ぎ手に挿通する仮止めピンで所定数複数個予め一連に連続し、各突起を貫通穴の穴両端内に嵌め合わせてスペーサを時計の装備側前側に位置するバンド駒と一体に組み立て、前記一連の連鎖片をバンド駒の貫通穴並びにスペーサの開口内に挿通させて各軸継ぎ手をスペーサの開口内に位置し、且つ、各板状本体をバンド駒の貫通穴内に位置させてバンド駒並びにスペーサを該連鎖片に交互に組み付け、この各部の組み合わせ後に連結ピンをスペーサの片側端に設けた軸受け孔より連鎖片の軸継ぎ手に差し込むと共に、連鎖片の仮止めピンを該連結ピンによる押圧でスペーサの他側端に設けた軸受け孔から押し出させて、連結ピンを各スペーサの軸受け孔と当該スペーサの開口内に位置する連鎖片の軸継ぎ手とに挿置し、これら組み合わされた各部からバンド本体を鎖状に組み立てるようにされている。
【００２６】
【発明の実施の形態】
以下、図１〜１８を参照して説明すると、図１は本発明に係る腕時計用バンドの組立に必要な各部品を展開させて内側（以下、説明の便宜上、バンド本体と人体の腕とを基準に、バンド本体が腕と接する側を「内側」乃至は「内方」、「下部側」乃至は「下方」として説明する。）より仰角斜視図で示すものである。その必要部品はバンド駒１，スペーサ２，連鎖片３，連鎖片３の仮止めピン４，連結ピン５であり、これらはバンド本体の所望な長さに応じて所定数複数個揃えられる。
【００２７】
バンド駒１は、タングステンカーバイト（ＷＣ），タンタルカーバイト（Ｔa Ｃ），チタニュームカーバイト（ＴｉＣ）等の超硬合金，又はジルコニアセラミックス等の超硬質材料で形成されている。そのバンド駒１は駒本体１０がバンド幅に応じた横長な方形のものに形成され、厚み内には図２で示すように時計の装備方向に通ずるストレート形状の貫通穴１１が両側端面を円弧状に付形させて設けられている。また、バンド駒１の前後面は図３で示すようにスペーサ２を受入れ可能なアール状の切欠部１２，１３で形成されている。
【００２８】
上述したバンド駒１の簡単な構造から、バンド駒１を超硬合金で形成する場合には少なくとも粉末冶金のプレス金型成形を適用することにより、ストレート形状の貫通穴１１の寸法が完成のバンド駒形状に対してニアネットな焼結加工素材が得られる。この構成以外は外観の装飾的な平面研磨及び面取り部等を設けるだけでよく、放電加工を一切使用せず、ダイヤモンドホイールによる研削及び研磨を外装部分の一部に適用するだけで容易に形状出しと鏡面加工ができる。また、セラミック材料を用いて形成する場合でも、従来例のものに比べて容易に射出成形することができる。
【００２９】
スペーサ２は、相前後するバンド駒１の緩衝部材としてジュラコン，ＡＢＳ，ポリウレタン等の樹脂材料で形成されている。そのスペーサ２は図４，５で示すように駒本体１０の横幅と相応する長さの棒状本体２０を有し、軸線内にはバンド駒１の貫通穴１１と連通する開口２１が連鎖片３の板厚よりも多少広く設けられている。このスペーサ２は後述する如くバンド本体の外側から見えないよう相前後するバンド駒の切欠部が呈するアーチ内に組み付けられるものであり、図６で示すようにバンド本体の外面寄りに位置する上部側２０ａが円弧状に形成されている。なお、その上部側２０ａの横幅Ａは後述するように相前後するバンド駒の間に狭間の隙間を保ってバンド駒のアーチ内に組み付けられるよう幅設定されている。
【００３０】
そのスペーサ２には、開口２１の側端縁付近から時計の装備側に向けて突出する突起２２，２３が設けられている。この突起２２，２３はバンド駒１の貫通穴１１に嵌め込んでスペーサ２を相前後する前側のバンド駒１と同軸上に一体に組み立てるもので、後述する如くバンド本体が外方に反転してしまうのを防止し、且つ、後側のバンド駒が内方に撓み回転できるよう組み付けられている。また、バンド駒１の貫通穴１１の両側端面を円弧形に形成することと共に、突起２２，２３を嵌め合い易くするべく半円形に形成されている。
【００３１】
そのスペーサ２は緩衝部材となると共に連結ピン５の軸受け部となるものであり、側端面からは開口２１に通ずる軸受け孔２４，２５が両軸端に設けられている。この軸受け孔２４，２５のうち、片側２４は連結ピン５を緊密に嵌込み固定できるよう軸止め孔として連結ピン５と略同径に形成し、他側２５は連結ピン５を挿入し易くするべくピン挿通孔として連結ピン５の径より多少口径を大きく形成するとよい。
【００３２】
それに加えて、スペーサ２は棒状本体の後部側（符号２０ｃ）が前後幅Ａ，Ｂをバンド本体の外面寄り位置する上部側２０ａよりも内面寄りに位置する下部側２０ｂに向けて狭幅Ａ＞Ｂにするよう傾斜面で形成されている。また、開口２１の底側面（符号２１ａ）は時計の装備側より後方に向けて下り勾配の傾斜面で形成されている。このスペーサ２の傾斜面２０ｃ，２１ａは連結ピン５を中心に、バンド本体を時計の装備側より後側に位置する連鎖片を軸継ぎ手で内方に撓み回転させる規制面として形成されている。なお、開口２１の上側面２１ｂは単なる水平面に形成すればよい。
【００３３】
連鎖片３は図７で示すようにステンレス等の金属材料から形成した板状の本体３０を有し、図８，９で示すように板状本体３０の前後辺は軸継ぎ手３１ａ、３１ｂ，３１ｃとして形成されている。その軸継ぎ手３１ａ、３１ｂ，３１ｃは片側の中央一つ３１ａと、他側の左右二つ３１ｂ，３１ｃとの互いに組み合う凸部，凹部として形成されている。また、これらは軸継ぎ手として幅方向に貫通する軸挿通孔３２ａ、３２ｂ，３２ｃを有し、その各軸挿通孔３２ａ、３２ｂ，３２ｃは仮止めピン４の軸径よりも大径で連結ピン５より多少大きな径に設けられている。
【００３４】
なお、仮止めピン４としては材料的に安価な樹脂或いは金属材料で形成したものを用いることができる。また、連結ピン５としてはステンレス等の金属材料から形成したものを用いるようにできる。これら仮止めピン４，連結ピン５は後述する如く挿通孔３２ａ，３２ｂ，３２ｃ乃至は軸受け孔２４，２５に挿通されるが、その軸先端側は挿入を容易にするべく多少径を小さくするよう面取り形成するとよい。
【００３５】
これら各部１〜５を用いては、まず、図１０で示すように連鎖片３を相前後する軸継ぎ手３１ａ、３１ｂ，３１ｃで互いに組み合わせ、その組み合わされた軸継ぎ手３１ａ、３１ｂ，３１ｃの軸受け孔３２ａ、３２ｂ，３２ｃには仮止めピン４を挿通することにより、図１１，１２で示すように所定数複数個３，３…を予め一連に連続する。その仮止めピン４の挿入に際しては、軸受け孔３２ａ、３２ｂ，３２ｃが仮止めピン４の軸径よりも大きく形成されているから簡単に挿通することができる。
【００３６】
その一連の連鎖片３，３…に対しては、図１３Ａ，１３Ｂのように連鎖片３，３…をバンド駒１の貫通穴１１並びにスペーサ２の開口２１に挿通させて所定数複数個のバンド駒１，１…並びにスペーサ２，２…を交互に順次組み付けると共に、スペーサ２の突起２２，２３をバンド駒１の貫通穴１１に嵌め込んで互いを一体に組み立てる。この組付けの際、一連の連鎖片３，３…に対してバンド駒１の貫通穴１１並びにスペーサ２の開口２１は同幅で一線上に連通するからバンド駒１並びにスペーサ２を簡単に組み合わせることができる。また、バンド駒１並びにスペーサ２はスペーサ２の突起２２，２３をバンド駒１の貫通穴１１に嵌め込むことにより互いを予め一体に組み立てて一連の連鎖片３，３…に組み付けることができる。
【００３７】
その組合せ状態では、図１３Ｂで示すように各連鎖片３，３…の軸継ぎ手３１ｂ，３１ｂ…（作図上、一つのみ図示）をスペーサ２，２…の開口２１，２１…内に位置し、且つ、各板状本体３０，３０…をバンド駒１，１…の貫通穴１１，１１…内に位置させる。この各部の組合せ後に、図１３Ａで示すように連結ピン５をスペーサ２の片側端に設けた軸受け孔２５より連鎖片３の相組み合わされた軸継ぎ手３１ａ，３１ｃに差し込む。その連結ピン５の差込みは一本一本行うこともできるが、バンド駒１，スペーサ２，連鎖片３が所定数複数個組み合わされているから、各スペーサ２に対して複数本同時に行うようにできるので、組み込み作業は、従来の各部品を一段一段個々に積み重ねて組み立てる作業に比べ、大幅に作業時間を短縮することができる。
【００３８】
その連結ピン５の差し込みに伴っては、連鎖片３の仮止めピン４を連結ピン５による押圧でスペーサ２の他側端に設けた軸受け孔（図示せず）から押し出させる。これにより、図１４，１５で示すように連結ピン５，５…を各スペーサ２，２…の軸受け孔２５と各スペーサ２，２…の開口２１，２１…内に位置する連鎖片３，３…の軸継ぎ手３１ａ，３１ｃとに複数本同時に挿置することができるので、図１６で示すように上述した各部を開いてバンド本体Ｔを鎖状に簡単に組み立てるようにできる。なお、連結ピン５は挿入方向の軸端側が軸受け孔２４と緊密に嵌り合うことにより容易に抜け出さないよう組付け固定することができる。
【００３９】
このように構成する腕時計用バンドでは、上述した如く各部の構造を簡単なものに構成ししかも各部を容易に組み立てられるばかりでなく、バンド駒１を割れや欠けが発生し易い超硬合金及びセラミックス等の超硬質材料で形成しても、ジュラコン，ＡＢＳ，ポリウレタン等の樹脂材料で形成したスペーサ２を相前後するバンド駒１，１…の間に介装することにより、その樹脂材料のスペーサ２が駒本体１０の緩衝部材として作用する。
【００４０】
また、スペーサ２，２…は図１７で示すように狭間な隙間Ｗを相前後するバンド駒１，１…の間に保つよう幅設定されていると共に、連鎖片３の板状本体３０がバンド駒１の貫通穴１１で規制されることから貫通穴１１の上面側２１ｂより外方に回転しない。このため、バンド本体Ｔを全体的にフラットな状態にしても、バンド駒１，１…が互いに接しないよう組み立てられている。その他の構成部材としてはステンレス等の金属材料で形成した連鎖片３並びに連結ピン５から組み立てられるため、バンド本体Ｔは全体として堅牢に構成できしかもバンド駒１の割れや欠け等の発生を確実に防ぐことができる。
【００４１】
それに加えて、各スペーサ２，２…は図１８Ａで示すように各バンド駒１，１…の相前後でアーチ状を呈する切欠部１２，１３の内側に組み付けることができる。このため、各スペーサ２，２…がバンド本体Ｔの外面側に大きく露出しないところから体裁上良好なものに組み立てることができる。
【００４２】
そのスペーサ２，２…は、図６で示したように棒状本体の後部側２０ｃが前後幅をバンド本体の外面寄り位置する上部側２０ａよりも内面寄りに位置する下部側２０ｂに向けて狭幅にする傾斜面で形成され、開口の底面２１ａが時計の装備側後方に向けて下り勾配の傾斜面で形成されているため、バンド本体Ｔは図１８Ｂで示すようにスペーサ２，２…の傾斜面２０ｃ，２１ａを規制面とし、連結ピン５，５を中心に時計の装備側より後側に位置する連鎖片３，３…の軸継ぎ手でループ状に撓むことにより腕時計用バンドとして装着するようにできる。
【００４３】
そのバンド本体Ｔの撓みに伴っては、スペーサ２の上部側２０ａが円弧状に形成されているため、バンド駒１をアーチの曲面で円滑に回転させることができる。この回転と共に、相前後するバンド駒１，１…の隙き間Ｗが拡開するものの、その拡開程度は大きくないから体裁が損なわれることもない。
【００４４】
なお、腕時計用バンドとしては１０，１１，１３Ｂで示す如くバンド着脱バックル（図示せず）を装備するエンドピース３３並びに時計本体の連結駒３４（図面上、中間省略）を一連に組み立てた連鎖片３，３…の端部に連結させて備えることにより完成される。このエンドピース３３，３４は時計本体乃至はバンド着脱バックル（図示せず）を装備するためのもので、その少なくとも片側は連鎖片３，３…を一連に組み立てて所定数複数個のバンド駒１，１…並びにスペーサ２，２…と組み合わせた後に連鎖片３，３…の端部に連結するよう組み付けられる。
【００４５】
【発明の効果】
以上に如く、本発明の請求項１に係る腕時計用バンドに依れば、時計の装備方向に通ずるストレート形状の貫通穴を駒本体の厚み内に設けた略方形のバンド駒を主体に、棒状本体の両端寄りから突起を設けたスペーサと、板状本体の前後辺を軸継ぎ手として形成した連鎖片と、連結ピンとを構成部材とすることから、バンド本体を簡単な構造の各部で容易に組み立てられる。また、時計の装備側に向けて棒状本体の軸両端寄りから突起を設けたスペーサを備え、その各突起を貫通穴の穴両端内に嵌め合わせてスペーサを時計の装備側前側に位置するバンド駒と一体に組み立てて、狭間な隙間を相前後するバンド駒の間にスペーサで保って連結ピンを各スペーサの軸受け孔と連鎖片の軸継ぎ手とに挿置することによりバンド本体を鎖状に組み立てるため、相前後するバンド駒が割れ或いは欠けないよう互いに接するのを確実に防ぐことができる。
【００４６】
本発明の請求項２に係る腕時計用バンドに依れば、隙間を相前後するバンド駒の間にスペーサで保ってスペーサをバンド駒のアーチ内に組み付けるため、スペーサを外部に露出させないことによりバンド本体を体裁上良好なものに組み立てることができる。
【００４７】
本発明の請求項３に係る腕時計用バンドに依れば、スペーサの傾斜面を規制面とし、連結ピンを中心にバンド本体を時計の装備側後側に位置する連鎖片の軸継ぎ手でループ状に撓み回転させることができる。
【００４８】
本発明の請求項４に係る腕時計用バンドに依れば、超硬合金，セラミックス等の超硬質材料で形成したバンド駒と、ジュラコン，ＡＢＳ，ポリウレタン等の樹脂材料で形成したスペーサと、ステンレス等の金属材料で形成した連鎖片とを組み合わせることにより樹脂材料のスペーサを駒本体の緩衝部材とし、バンド駒の割れや欠け等の発生を確実に防げてバンド本体を堅牢なものに構成することができる。
【００４９】
本発明の請求項５に係る腕時計用バンドの組立方法に依れば、連鎖片を相前後する軸継ぎ手に挿通する仮止めピンで所定数複数個予め一連に連続し、時計の装備側に向けて棒状本体の軸両端寄りから設けた各突起を貫通穴の穴両端内に嵌め合わせてスペーサを時計の装備側前側に位置するバンド駒と一体に組み立て、前記一連の連鎖片をバンド駒のストレート形状の貫通穴並びにスペーサの開口内に挿通させてバンド駒並びにスペーサを連鎖片に交互に組み付け、連結ピンをスペーサの片側端に設けた軸受け孔より連鎖片の軸継ぎ手に差し込むと共に、連鎖片の仮止めピンを押し出させて各スペーサの軸受け孔と当該スペーサの開口内に位置する連鎖片の軸継ぎ手とに挿置することによりバンド本体を鎖状に極めて容易に組み立てることができる。
【図面の簡単な説明】
【図１】  本発明に係る腕時計用バンドの組立に要する各部品を展開させて示す仰角斜視図である。
【図２】  同腕時計用バンドの組立に要するバンド駒を示す正面図である。
【図３】  同腕時計用バンドの組立に要するバンド駒を示す側面図である。
【図４】  同腕時計用バンドの組立に要するスペーサを示す正面図である。
【図５】  同腕時計用バンドの組立に要するスペーサを示す平面図である。
【図６】  同腕時計用バンドの組立に要するスペーサを示す側面図である。
【図７】  同腕時計用バンドの組立に要する連鎖片を示す俯角斜視図である。
【図８】  同腕時計用バンドの組立に要する連鎖片を示す平面図である。
【図９】  同腕時計用バンドの組立に要する連鎖片を示す側面図である。
【図１０】  同腕時計用バンドの組立に要する連鎖片の組立状態を部分的に切り欠いて示す平面図である。
【図１１】  同腕時計用バンドの組立に要する連鎖片の組立状態を中間省略で示す側面図である。
【図１２】  同腕時計用バンドの組立に要する連鎖片の組立状態を中間省略で示す平面図である。
【図１３Ａ】  同腕時計用バンドの組立に要する連鎖片とバンド駒並びにスペーサと組立工程を部分的に切り欠いて示す平面図である。
【図１３Ｂ】  同腕時計用バンドの組立に要する連鎖片とバンド駒並びにスペーサと組立状態を部分断面で示す側面図である。
【図１４】  同腕時計用バンドの組立構造を部分的に切り欠いて示す平面図である。
【図１５】  同腕時計用バンドの組立構造を部分的に示す仰角斜視図である。
【図１６】  同腕時計用バンドの組立構造を示す平面図である。
【図１７】  同腕時計用バンドの組立構造を部分的に切り欠いて示す側面図である。
【図１８Ａ】  同腕時計用バンドの組立構造を一部切り欠いて示す部分拡大側面図である。
【図１８Ｂ】  同腕時計用バンドの組立構造を一部切り欠いて撓み状態で示す部分拡大側面図である。
【図１９】  従来例の一例に係る腕時計用バンドの必要部品を展開させて示す俯角斜視図である。
【図２０】  同腕時計用バンドの組立に要する連鎖具を示す平面図である。
【図２１】  同腕時計用バンドの組立に要するバンド駒を示す横断面図である。
【図２２】  同腕時計用バンドの組立状態を示す部分側断面図である。
【図２３】  従来例の別の例に係る腕時計用バンドの必要部品を展開させて示す俯角斜視図である。
【図２４】  同腕時計用バンドの組立状態を部分的に切り欠いて示す平面図である。
【図２５】  同腕時計用バンドの組立状態を部分的に示す側断面図である。
【符号の説明】
１                  バンド駒
１０                駒本体
１１                貫通穴
１２，１３          切欠部
２                  スペーサ
２０                棒状本体
２１                開口
２２，２３          突起
２４，２５          軸受け孔
３                  連鎖片
３０                板状本体
３１ａ〜３１ｃ      軸継ぎ手
４                  仮止めピン
５                  連結ピン
【図１】
0003924635.tif 000002
【図２】
0003924635.tif 000003
【図３】
0003924635.tif 000004
【図４】
0003924635.tif 000005
【図５】
0003924635.tif 000006
【図６】
0003924635.tif 000007
【図７】
0003924635.tif 000008
【図８】
0003924635.tif 000009
【図９】
0003924635.tif 000010
【図１０】
0003924635.tif 000011
【図１１】
0003924635.tif 000012
【図１２】
0003924635.tif 000013
【図１３Ａ】
0003924635.tif 000014
【図１３Ｂ】
0003924635.tif 000015
【図１４】
0003924635.tif 000016
【図１５】
0003924635.tif 000017
【図１６】
0003924635.tif 000018
【図１７】
0003924635.tif 000019
【図１８Ａ】
0003924635.tif 000020
【図１８Ｂ】
0003924635.tif 000021
【図１９】
0003924635.tif 000022
【図２０】
0003924635.tif 000023
【図２１】
0003924635.tif 000024
【図２２】
0003924635.tif 000025
【図２３】
0003924635.tif 000026
【図２４】
0003924635.tif 000027
【図２５】
0003924635.tif 000028